(57)【要約】【課題】発光ダイオード（ＬＥＤ）モジュール１の発光の際に散乱による照射光量の減少を抑制する。【解決手段】発光素子３と、レンズ４と、ベース基板２と、電極５とから構成されるＬＥＤ１２と、このＬＥＤ１２を実装する配線基板６とを、上記レンズ４を除いて、シリコン樹脂７で封止する。このシリコン樹脂７はレンズ４と配線基板６の間を隙間なく埋めるので、海中等の水中で使用しても、このＬＥＤ１２の電極５や配線基板６が腐食しない。また、レンズ４が上記シリコン樹脂７に没せずに露出しているので、ＬＥＤ１２の発光に伴う熱が速やかに放熱される。さらに、ＬＥＤ１２からの発光が樹脂７を介さずにレンズ４から直接なされるので、光の散乱による照射光量の減少が抑制できる。【選択図】図１
2008077842.tif 000002
【特許請求の範囲】
【請求項１】
発光ダイオード（１２）を光源とする照明灯において、上記発光ダイオード（１２）と、その発光ダイオード（１２）を実装する配線基板（６）とを樹脂（７）で直接、水密に封止したことを特徴とする照明灯。
【請求項２】
請求項１に記載の照明灯を水中に浸漬して漁における集魚用に用いたことを特徴とする集魚用の照明灯。
【請求項３】
上記樹脂（７）での封止の際に、上記発光ダイオード（１２）のレンズ（４）のみを樹脂（７）に没しないように露出させたことを特徴とする請求項１又は２に記載の照明灯。
【請求項４】
上記樹脂（７）が熱硬化性樹脂であることを特徴とする請求項１から３のいずれかに記載の照明灯。
【発明の詳細な説明】
【技術分野】
【０００１】
この発明は、発光ダイオードを光源とした、耐水性を有する照明灯に関する。
【背景技術】
【０００２】
例えば、水面を明るく照らして水中の魚類をおびき寄せ、漁における漁獲量を向上するための照明灯においては、従来、白熱灯やハロゲン灯等が一般的に使われてきた。例えば、図３に示すように、この照明灯１は、漁船ｓに設けられた支柱１０の間に複数並べて吊り下げられて水面１１を照明する。
【０００３】
これらの白熱灯やハロゲン灯等は発熱量が大きく消費電力が大きいため、漁船の停止中においても、常時そのエンジンを最大限に稼動させて発電を行なう必要があり、エンジンの排気ガスによる環境破壊の観点において問題があった。
【０００４】
その問題を解決すべく、上記白熱灯等に代わる照明灯として、それよりも発光効率が高く、消費電力が上記白熱灯等と比較して小さい発光ダイオード（以下、ＬＥＤという。）を光源とした照明灯が実用化されつつある。
【０００５】
しかしながら、上記白熱灯やＬＥＤ等の照明灯は一般的に耐水性に乏しく、水がかかると破損するため、この照明灯１をあまり水面に接近して設けることができず、水面から大きく離れた船上に吊るして設けられる場合が多い。また、集魚灯以外の照明灯においても、雨水がその内部に入り込みにくい構造とされる場合が多い。
【０００６】
なお、照明灯１の耐水性を向上させるために、例えば、特許文献１においては、図４に示すように、照明灯として砲弾型のＬＥＤを用い、板６に複数個の上記ＬＥＤ１２をマトリックス状に配置してＬＥＤ搭載板を構成し、そのＬＥＤ搭載板を、マトリックス状に配置されたＬＥＤ１２の位置に対応して有底穴１３を形成した樹脂性の収納ケース１４に嵌め込み、一体となった上記ＬＥＤ搭載板と収納ケース１４を樹脂製の外カバー１５に収納して、上記収納ケース１４と外カバー１５の間の隙間、及び、上記配線基板６の裏側に液状の樹脂を充填固化して封止した、水中を照明するＬＥＤモジュール１の構成が示されている。
【０００７】
このＬＥＤモジュール１は図５に示すように、上記配線基板６と、上記ＬＥＤ搭載板が嵌め込まれた上記収納ケース１４の全体が封止樹脂７で封止され、上記外カバー１５とともに一体化されている。
【特許文献１】特開２００６−１３４５９３号公報
【発明の開示】
【発明が解決しようとする課題】
【０００８】
特許文献１に示す構成においては、上記ＬＥＤモジュールの発光方向（図４の矢印ｄ）には、上記収納ケース、封止樹脂、及び、外カバーの３層の樹脂が積層され、一般的には、その３層の屈折率がそれぞれ異なり、各層の界面において、ＬＥＤから発せられた光の一部が散乱されて失われるため、照射光量が減少する。照射光量の散乱による減少を抑制するため、散乱が生じにくい構成が望まれる。
【０００９】
そこで、この発明では、ＬＥＤの発光の際に散乱によって照射光量が減少しにくい構成とすることを課題とする。
【課題を解決するための手段】
【００１０】
上記の課題を解決するため、この発明は、上記ＬＥＤと、そのＬＥＤを実装する配線基板とを上記収納ケース等に収納せず、直接、樹脂で水密に封止することとしたのである。
【発明の効果】
【００１１】
この発明によると、上記ＬＥＤと、そのＬＥＤを実装する配線基板とを直接、樹脂で封止するので、ＬＥＤが単一の樹脂層によって被覆され、上述した光の散乱が生じにくいので、照射光量の減少を抑制することができる。
【発明を実施するための最良の形態】
【００１２】
この発明の実施形態としては、上記ＬＥＤを光源とする照明灯において、ＬＥＤと、そのＬＥＤを実装する配線基板とを封止樹脂で水密に封止する構成を採用できる。
【００１３】
このＬＥＤ等を封止する封止樹脂としては、一般に市販されているエポキシ樹脂やシリコン樹脂等の熱硬化性樹脂を採用できるが、ＬＥＤ等の金属端子部を長期間に亘って被覆保護でき、かつ、その封止樹脂の硬化の際に体積収縮等によって封止樹脂とＬＥＤあるいは配線基板との間に剥離を生じないものであれば、特にこれらに限定されない。
【００１４】
上記封止の際に、ＬＥＤと配線基板の全体をそれらの全面に亘って連続的に包み込んで水密に封止する形態、すなわち、ＬＥＤのレンズが上記封止樹脂に完全に没する形態を採用してもよいが、上記レンズ部分のみが封止樹脂から露出している形態を採用してもよい。後者の形態を採用すれば、ＬＥＤからの発光が、封止樹脂を介さずに直接レンズからなされるので、発光における損失が少なくなる。
【００１５】
また、このＬＥＤモジュールは、封止樹脂によって、ＬＥＤの金属端子部と、そのＬＥＤを実装する配線基板とが完全に密封されて水密を維持しているので、このＬＥＤモジュール本体を海水等の水中に直接浸漬しても、上記金属端子部や配線基板が腐食せず、長期間に亘って初期の発光特性を維持できる。
【００１６】
このＬＥＤモジュールは、上述のように、漁における集魚用の照明灯として用いる以外に、自動車の前照灯や尾灯、街路灯、信号機等、防水対策が必要な環境下において幅広く適用することができるが、集魚灯のように水中に浸漬して使用すれば、配線基板の裏面が封止樹脂を介して水と面接触するので、その放熱効果が高い。また、ＬＥＤのレンズが封止樹脂から露出していれば、放熱効果がさらに高まる。
【００１７】
このＬＥＤモジュールには、従来から汎用品として用いられてきた砲弾型ＬＥＤ以外に、チップＬＥＤ、高出力型ＬＥＤ等、種々のタイプのＬＥＤが適用できる。
【実施例】
【００１８】
図１にこの発明の一実施例を示して説明すると、高出力型の白色光ＬＥＤモジュール１（商品名  ＬＸＨＬ−ＬＷ６Ｃ、Ｌｕｍｉｌｅｄｓ社製）は、ベース基板２と、発光素子３と、レンズ４と、電極５とから構成され、この電極５は配線基板６と電気的に接続されて実装され、図示しない外部電源から発光素子３に給電される。
【００１９】
このＬＥＤモジュール１と配線基板６は、レンズ４の一部を除いてシリコン樹脂７でその全体を全面に亘って包み込まれて水密に封止され、このシリコン樹脂７はレンズ４と配線基板６の間を隙間なく埋めるので、ＬＥＤの電極５は完全にシリコン樹脂に没している。そのため、このＬＥＤモジュール１を水中に浸漬してもＬＥＤモジュール１や配線基板６の中にその水が浸入して、絶縁破壊を起こす恐れがなく、安定した発光特性を維持できる。
【００２０】
さらに、このベース基板２はアルミニウム板８と絶縁樹脂９を貼り合わせた構造なので、熱伝導性に優れ、ＬＥＤの発光によって生じた熱を速やかに発散することができる。そのため、ＬＥＤの発光素子３を常に一定温度以下に保つことができ、このＬＥＤモジュール１が熱によって寿命が短くなったり、損傷したりするのを防止することができる。
【００２１】
また、レンズ４が熱伝導率の低いシリコン樹脂７に完全に被覆されずに、その一部が露出しているので、このＬＥＤモジュール１を水中に浸漬させて使用すると、上記レンズ４が水で直接冷却され、その冷却が一層速やかになされる。
【００２２】
このＬＥＤモジュール１は、封止樹脂によって水密に封止されて高い耐水性を有するので、その浸漬深さは特に制限されない。例えば、図２に示すように、水面直上１６に上記ＬＥＤモジュール１を設置して、水面１１の波によって反射・散乱した光を好む魚類を誘き寄せて捕獲したり、そのＬＥＤモジュール１を任意の水深１７、１８に浸漬して、それぞれの水深に生息する魚類を誘き寄せて捕獲したりするのに使用することができる。そのため、深海に生息する魚に対する漁についても、このＬＥＤモジュール１の集魚効果が発揮できる。
【図面の簡単な説明】
【００２３】
【図１】この発明の一実施例における発光ダイオードモジュールの断面図
【図２】この発明の照明灯の使用態様を示す図
【図３】従来例における照明灯の使用態様を示す図
【図４】従来例における発光ダイオードモジュールの構成図
【図５】従来例における発光ダイオードモジュールの要部断面図
【符号の説明】
【００２４】
４  レンズ
６  配線基板
７  樹脂
１２  発光ダイオード（ＬＥＤ）
【図１】
2008077842.tif 000003
【図２】
2008077842.tif 000004
【図３】
2008077842.tif 000005
【図４】
2008077842.tif 000006
【図５】
2008077842.tif 000007